(57)【要約】      （修正有）【課題】スピーカへ浸水しない、表示装置を備えたテーブルを提供する。【解決手段】ディスプレイ内蔵型テーブルは、各表示ユニット３に対応するスピーカ２４が設けられており、スピーカ２４に対し、液体の侵入を防止する液侵入防止構造４を備え、上記液侵入防止構造４は、上記テーブル本体を、上面から下面へ向かって貫通する通液孔と、上記通液孔の側壁に形成され、上記スピーカ２４を収容する第１の凹部と、を備える。【選択図】図４
2014050547.tif 000002
【特許請求の範囲】
【請求項１】
物体を載置可能な上面を有するテーブル本体と、上記上面に設けられた複数の表示部と、を備え、各表示部に対応するスピーカが設けられたテーブルであって、
上記スピーカに対し、液体の侵入を防止する液侵入防止構造を備えたことを特徴とするテーブル。
【請求項２】
上記液侵入防止構造は、
上記テーブル本体を、上面から下面へ向かって貫通する通液孔と、
上記通液孔の側壁に形成され、上記スピーカを収容する第１の凹部と、を備えたことを特徴とする請求項１に記載のテーブル。
【請求項３】
上記液侵入防止構造は、
上記上面に形成され、上記スピーカを収容する第２の凹部を備え、
上記第２の凹部を閉塞するように、透湿防水フィルムが設けられていることを特徴とする請求項１に記載のテーブル。
【請求項４】
上記液侵入防止構造では、上記スピーカは、上記テーブル本体における上記上面と反対側の下面に設けられていることを特徴とする請求項１に記載のテーブル。
【請求項５】
上記スピーカは、指向性スピーカであることを特徴とする請求項１〜４の何れか１項に記載のテーブル。
【請求項６】
上記指向性スピーカの角度を調節する角度調節機構を備えたことを特徴とする請求項５に記載のテーブル。
【発明の詳細な説明】
【技術分野】
【０００１】
本発明は、表示装置を備えたテーブル（または机）に関するものである。
【背景技術】
【０００２】
近年では、ＬＣＤ（液晶ディスプレイ：Liquid Crystal Display）、ＰＤＰ（プラズマディスプレイ:Plasma Display Panel）、または有機ＥＬ（Organic LED）などに代表される、薄型のＦＰＤ（フラットパネルディスプレイ：Flat Panel Display）が多くの目的に利用されている。
【０００３】
特許文献１では、薄型平面ディスプレイの表示面を、机の上部表面とほぼ同一平面となるように装備した事務机が開示されている。
【０００４】
特許文献２では、平面型のディスプレイとタブレットとを兼用する表示部が、机上テーブルと兼用された入出力装置が開示されている。
【０００５】
特許文献３では、ボード状の収納体にパソコン本体、液晶ディスプレイ、キーボード、などを収納し、ディスプレイの収納部に開閉可能なカバーを設けて、ディスプレイを起立させることが可能なボード型パソコンが開示されている。
【先行技術文献】
【特許文献】
【０００６】
【特許文献１】特開昭６１−１３５６０５号公報（１９８６年  ６月２３日公開）
【特許文献２】特開２０００−６６７６８号公報（２０００年  ３月  ３日公開）
【特許文献３】特開２００１−５１７５１号公報（２００１年  ２月２３日公開）
【発明の概要】
【発明が解決しようとする課題】
【０００７】
しかしながら、上記従来技術では、ディスプレイからの音声を出力するスピーカについて想定されていない。
【０００８】
表示装置を備えたテーブル（または机）を、ユーザがテーブル（または机）として利用するとき、テーブルに水などの液体が零ちる場合が想定される。テーブルの上面にスピーカを設けた場合、水などの液体がテーブルに零ちたとき、スピーカへ浸水するおそれかある。その結果、スピーカは、故障する、あるいは発火するおそれがある。
【０００９】
本発明は、上記の問題点を解決するためになされたもので、その目的は、テーブルに水などの液体が零ちてもスピーカへ浸水しない、表示装置を備えたテーブル（または机）を提供することである。
【課題を解決するための手段】
【００１０】
上記の課題を解決するために、本発明の一態様に係るテーブルは、物体を載置可能な上面を有するテーブル本体と、上記上面に設けられた複数の表示部と、を備え、各表示部に対応するスピーカが設けられたテーブルであって、上記スピーカに対し、液体の侵入を防止する液侵入防止構造を備えたことを特徴としている。
【発明の効果】
【００１１】
本発明の一態様によれば、上記スピーカに対し、液体の侵入を防止する液侵入防止構造を備えているので、テーブルに水などの液体が零ちてもスピーカへ浸水しないという効果を奏する。
【図面の簡単な説明】
【００１２】
【図１】本発明の一実施形態に係るディスプレイ内蔵型テーブルの斜視図であり、テーブル本体から表示ユニットを取り出した状態を示す図である。
【図２】上記ディスプレイ内蔵型テーブルの要部構成を示すブロック図である。
【図３】変更例２としてのディスプレイ内蔵型テーブルの構成を示す斜視図である。
【図４】上記ディスプレイ内蔵型テーブルの液侵入防止構造の構成を示し、（ａ）は上面図であり、（ｂ）は（ａ）のＡ−Ａ’線断面図である。
【図５】上記ディスプレイ内蔵型テーブルの液侵入防止構造において、液体侵入防止効果に最適な凹部の構成を模式的に示した断面図である。
【図６】本発明の他の実施形態に係るディスプレイ内蔵型テーブルにおける液侵入防止構造の構成を示し、（ａ）は上面図であり、（ｂ）は（ａ）のＡ−Ａ’線断面図である。
【図７】本発明のさらに他の実施形態に係るディスプレイ内蔵型テーブルにおける液侵入防止構造の構成を示す断面図である。
【図８】図７に示す液侵入防止構造におけるスピーカに、指向性スピーカを適用した構成を模式的に示した側面図である。
【図９】（ａ）は、指向性スピーカの角度調節機構の構成を模式的に示す断面図であり、（ｂ）は、角度調節機構単体の構成を示す側面図である。
【発明を実施するための形態】
【００１３】
〔実施の形態１〕
本発明に係るテーブルの実施の一形態について図１〜図４に基づいて説明すれば、以下のとおりである。ここでは、本発明の実施形態の一例として、ディスプレイ内蔵型テーブル１について説明する。なお、本発明の「テーブル」とは、物体を載置することが可能な台を意味し、机および作業台も「テーブル」の概念に含まれる。
【００１４】
〔ディスプレイ内蔵型テーブル〕
図１は、ディスプレイ内蔵型テーブル１において、テーブル本体であるテーブル２から表示ユニット３を取り出した状態を示す斜視図である。図１に示すように、ディスプレイ内蔵型テーブル１は、テーブル（テーブル本体）２と、テーブル２に対して着脱可能な表示ユニット（表示部）３とを備えている。
【００１５】
表示ユニット３は、タッチパネル操作を受け付ける入力・表示部である。図１に示す例では、テーブル２は、表示ユニット３を４つ収納することが可能であるが、テーブル２が備える表示ユニット３の個数は、特に限定されず、１つでも、４以外の複数でもよい。
【００１６】
テーブル２は、物体を載置可能な上面２０２を有する天板（載置部）２ａおよび天板２ａを支える脚部２ｂを備えている。
【００１７】
天板２ａの内部には、表示ユニット３を保持するための表示ユニット着脱部（表示ユニット収納部）２８が形成されている。この表示ユニット着脱部２８は、表示ユニット３の表示画面を視認可能な状態で当該表示ユニット３を収納可能な中空の構造体である。
【００１８】
天板２ａの一部は、透光性の部材であるトップガラス２０１によって形成されており、表示ユニット着脱部２８の上面の少なくとも一部はトップガラス２０１によって形成されている。そのため、表示ユニット３の表示画面を上にして表示ユニット着脱部２８に装填すると（図１手前左）、トップガラス２０１を通して上記表示画面をユーザが視認することが可能である。
【００１９】
トップガラス２０１は、透光性の部材であればよく、同様の機能を有する部材を、ガラス以外の透光性材質を用いて形成してもよい。
【００２０】
また、ディスプレイ内蔵型テーブル１には、表示ユニット着脱部２８から引き出した表示ユニット３をテーブル２の天板２ａ上に立てかけて保持できるように、天板２ａの上面２０２に表示ユニット保持用の凹部が形成されている。
【００２１】
テーブル２と表示ユニット３とは、それぞれ無線通信装置を備え、双方向の情報通信を行うことができる。そのため、表示ユニット３がテーブル２から取り出された状態においても、表示ユニット３は、その表示画面に表示する画像を示す画像データ（映像データ）をテーブル２から受信することができる。
【００２２】
次に、ディスプレイ内蔵型テーブル１を構成するテーブル２および表示ユニット３の要部について記載する。
【００２３】
〔ディスプレイ内蔵型テーブル１の構成〕
（テーブル２）
図２は、ディスプレイ内蔵型テーブル１の要部構成を示すブロック図である。図２に示すように、テーブル２は、受信部２１、送信部２２、記憶部２３、スピーカ２４、主制御部２５、電源部２６、表示ユニット検出部２７、および表示ユニット着脱部２８を備えている。さらに主制御部２５には、表示ユニット制御部２５１が含まれている。
【００２４】
受信部２１は、表示ユニット３のタッチパネル３５に対するユーザの入力操作の位置を示すタッチパネル操作情報を表示ユニット３の送信部３１から受信し、表示ユニット制御部２５１に通知する。
【００２５】
送信部２２は、表示ユニット３の表示部３５１において表示する画像（静止画または動画）を示すデータ信号および表示部３５１を制御するための制御信号（例えば、クロック信号）を表示ユニット制御部２５１から取得し、これらの信号を表示ユニット３の受信部３２へ送信する。
【００２６】
なお、テーブル２と表示ユニット３とは、通信可能に接続されていればよく、その通信方法は無線通信に限定されず、有線通信であってもよい。
【００２７】
記憶部２３は、各種の設定情報、および表示ユニット３の表示部３５１において表示される画像データ等を記憶する不揮発性の記憶装置である。
【００２８】
スピーカ２４は、画像データに付随する音声を主制御部２５から取得して出力する音声出力装置である。
【００２９】
主制御部２５は、テーブル２が備える各部の機能を制御するものであり、表示ユニット制御部２５１を備えている。
【００３０】
表示ユニット制御部２５１は、上記タッチパネル操作情報が示す入力操作に基づいて、当該入力操作に対応する画像を示す画像データを記憶部２３から取得する。そして、表示ユニット制御部２５１は、当該画像を表示部３５１に表示するためのデータ信号および制御信号を生成し、送信部２２を介して表示ユニット３へ送信する。
【００３１】
なお、表示ユニット制御部２５１は、インターネット等の通信回線を介して、上記データ信号および制御信号を外部の装置（例えば、動画配信サーバ）から取得してもよい。また、放送を受信するためのチューナをテーブル２に設け、当該チューナで受信したデータ信号および制御信号を表示ユニット３へ送信してもよい。
【００３２】
電源部２６は、テーブル２に対して電力を供給するとともに、表示ユニット着脱部２８を介して表示ユニット３に電力を供給する。
【００３３】
表示ユニット着脱部２８は、表示ユニット３のテーブル接続部３６と電気的に接続可能な接続端子を備えており、テーブル２は、この接続端子を介して、表示ユニット３へ電力を供給することができる。
【００３４】
表示ユニット検出部２７は、表示ユニット着脱部２８に表示ユニット３が装着された場合に、その旨を示す表示ユニット装着情報を主制御部２５に通知する。主制御部２５は、表示ユニット３が表示ユニット着脱部２８に装着されている場合に、表示ユニット３へ送信する情報を、送信部２２ではなく、表示ユニット着脱部２８の接続端子を介して表示ユニット３へ送信してもよい。表示ユニット３から情報を受信する場合も同様である。
【００３５】
なお、図１において示した例では、本発明のテーブル２の天板２ａは、床に対して平行な形状であり、このような天板２ａの内部に表示ユニット３を保持する構成である。しかし、テーブル２における外形上の特徴（脚の数および形状、あるいは天板２ａの形状および大きさ）は、図１に示した例に限定されない。また、テーブル２の材質についても特に限定されず、木材、金属、樹脂など、テーブルに適した材質を適宜組み合わせて（または単独で）用いればよい。
【００３６】
（表示ユニット３）
図２に示すように、表示ユニット３は、送信部３１、受信部３２、タッチパネル制御部３３、記憶部３４、タッチパネル３５、テーブル接続部３６、充電部３７を備えている。さらにタッチパネル３５は、表示部３５１と操作入力部３５２とを備えている。
【００３７】
表示ユニット３は無線通信装置としての受信部３２を備え、テーブル２に装着されている状態においても、テーブル３から取り出された状態においても、テーブル２から上記データ信号および制御信号を取得でき、当該データ信号が示す画像を表示部３５１に表示することができる。
【００３８】
受信部３２は、テーブル２の送信部２２から送信された上記データ信号および制御信号を受信し、タッチパネル制御部３３へ送る。
【００３９】
タッチパネル制御部３３は、取得した制御信号を用いて、上記データ信号が示す画像をタッチパネル３５の表示部３５１に表示する。
【００４０】
タッチパネル３５は、ユーザによるタッチパネル操作を受け付けるユーザインターフェースであり、表示部３５１および操作入力部３５２を備えている。
【００４１】
表示部３５１は、例えばＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）が好ましい。
【００４２】
操作入力部３５２は、非接触でのタッチ操作入力も受け付けることが可能なものであり、例えば静電容量方式の入力パネルである。静電容量方式のタッチパネルでは、透明導電膜がコーティングされた入力パネルにおける、指の接触（または近接）による静電容量の変化により入力位置を検出する。上記入力パネルとしての操作入力部３５２は、表示部３５１の表示画面の前面に配置される。
【００４３】
また、タッチパネル３５を光センサ液晶として実現してもよい。この場合、光センサ液晶が備える複数の光センサが操作入力部３５２として機能する。
【００４４】
なお、表示ユニット３がテーブル２から取り外されたときに天板２ａに開口部が形成されないようにするために、テーブル２の天板２ａには図１に示すようにトップガラス２０１が設けられている。従って、タッチパネル３５に対して、ユーザは直接触れて操作することができないため、タッチパネル３５としては、非接触での操作入力も受け付けるタッチパネルであることが望ましい。
【００４５】
しかし、タッチパネル３５に直接触れて操作することを前提とするならば、タッチパネル３５として、抵抗膜方式、超音波表面弾性波方式、赤外線走査方式など、その他の方式のタッチパネルを用いてもよい。
【００４６】
操作入力部３５２に対する入力操作の位置を示すタッチパネル操作情報は、タッチパネル制御部３３へ送信される。
【００４７】
タッチパネル制御部３３は、操作入力部３５２からタッチパネル操作情報を取得し、送信部３１へ送る。
【００４８】
無線通信装置としての送信部３１は、上記タッチパネル操作情報をタッチパネル制御部３３から取得し、テーブル２の受信部２１へ送信する。
【００４９】
記憶部３４は、各種の設定情報、および表示部３５１において表示される画像データ等を記憶する不揮発性の記憶装置である。
【００５０】
テーブル接続部３６は、表示ユニット着脱部２８に表示ユニット３が装着されるときに、表示ユニット着脱部２８の接続端子と接続される、表示ユニット３の側のインターフェースである。テーブル２と表示ユニット３とは、上記接続端子およびテーブル接続部３６を介して、電力供給、および各種情報の入出力を行うことができる。
【００５１】
テーブル接続部３６を介して表示ユニット３がテーブル２と連結しているとき、表示ユニット３はテーブル２から電力供給を受ける。供給された電力は、表示ユニット３における画像の表示、操作入力、情報の送受信、記憶など、電力によって機能する装置に対して供給される。また、テーブル２から供給された電力の一部は、充電部３７に蓄積される。表示ユニット３がテーブル２に装着されていないときには、充電部３７の電力が、表示ユニット３の各装置に対して供給される。
【００５２】
（変更例１）
図２に示す例では、上記データ信号および制御信号は、テーブル２から表示ユニット３へ送信される構成となっているが、表示ユニット３が自ら上記データ信号および制御信号を生成または取得する構成としてもよい。
【００５３】
すなわち、表示ユニット３の記憶部３４に画像データが格納されており、表示ユニット３は、当該画像データを用いて表示部３５１に画像を表示してもよい。または、表示ユニット３は、インターネット等の通信回線を介して、上記データ信号および制御信号を外部の装置から取得してもよい。また、放送を受信するためのチューナを表示ユニット３に設け、当該チューナで受信したデータ信号および制御信号を用いて表示部３５１に画像を表示してもよい。
【００５４】
この構成では、表示ユニット３は、テーブル２とは独立した端末装置として機能することができる。この構成においても、電力については、テーブル２から供給可能であることが好ましい。表示ユニット３は充電部（バッテリー）３７を備えているが、蓄電容量には限りがあるため、長時間使用することを考慮すれば、テーブル２から電力の供給を受けることが好ましい。
【００５５】
（変更例２）
ここで、本実施形態のディスプレイ内蔵型テーブル１の構成において、図１に示す構成の変更例について説明する。図３は、変更例２としてのディスプレイ内蔵型テーブル１の構成を示す斜視図である。
【００５６】
図１に示すディスプレイ内蔵型テーブル１では、表示ユニット３は、テーブル２に対して着脱可能な構成であった。これに対して、変更例２のディスプレイ内蔵型テーブル１では、図３に示されるように、表示ユニット３’は、テーブル２に対して着脱可能になっておらず、テーブル２と一体的に設けられている。
【００５７】
（本発明の特徴的構成：液侵入防止構造４）
ところで、ディスプレイ内蔵型テーブル１において、音声を出力するスピーカ２４は、重要なインターフェースの１つである。ディスプレイ内蔵型テーブル１をはじめとする一般的なテーブルを使用するに際し、テーブル２の天板２ａに水などの液体が零ちる場合が想定される。理想的に、スピーカ２４は、その音出力面とユーザとが一直線となる位置関係になることが好ましい。また、スピーカ２４は、天板２ａの上面２０２におけるユーザ側ｗｐ向いており、かつユーザと対向するように配置されていることが好ましい。
【００５８】
しかし、スピーカ２４とユーザとが上述の位置関係にある場合、スピーカ２４は、テーブルの天板面に水などの液体が零ちたときに故障や発火につながるので、理想的な向きに取り付けることができない。それゆえ、ディスプレイ内蔵型テーブル１には、テーブル２における天板２ａの上面２０２に水などの液体が零ちたときに、スピーカ２４へ浸水しないようにするという課題が残されている。
【００５９】
本発明のディスプレイ内蔵型テーブル１は、この課題を解決するために、スピーカ２４に対し、水などの液体の侵入を防止する液侵入防止構造４を備えたことを特徴としている。以下、ディスプレイ内蔵型テーブル１におけるスピーカ２４の液侵入防止構造について、詳述する。図４は、ディスプレイ内蔵型テーブル１の液侵入防止構造４の構成を示し、図４の（ａ）は上面図であり、図４の（ｂ）は図４の（ａ）のＡ−Ａ’線断面図である。なお、図４の（ｂ）の矢印は、スピーカ２４の出力音が伝搬する方向を示す。
【００６０】
図４に示されるように、液侵入防止構造４は、通液孔２ｃと、スピーカ２４を収容するための凹部２ｄ（第１の凹部）とを備えている。通液孔２ｃは、テーブル２を上面２０２から下面２０３へ向かって貫通する孔であり、上面２０２及び下面２０３に対して垂直な方向に延びている。
【００６１】
また、凹部２ｄは、通液孔２ｃを形成する側壁に対し凹む（より具体的には通液孔２ｃの側壁に対して垂直方向に凹む）ように形成されている。また、図４の（ｂ）の矢印が示すように、スピーカ２４は、凹部２ｄ内で、その出力音がスピーカ２４と対向する通液孔２ｃの側壁で反射し上面２０２側へ拡散するように配置されている。
【００６２】
図４に示される液侵入防止構造４の構成によれば、天板２ａの上面２０２上に水などの液体をこぼしたとき、液体は、通液孔２ｃを通って下面２０３側へ流れ出る。このとき、スピーカ２４は、通液孔２ｃの側壁に対し凹むように形成された凹部２ｄに配置されている。それゆえ、液体は、スピーカ２４を収容する凹部２ｄを避けて下面２０３側へ流れ出る。よって、液侵入防止構造４の構成によれば、スピーカ２４が水没せず、スピーカ２４の故障や発火の原因がなくなるので、スピーカ２４の信頼性が向上したディスプレイ内蔵型テーブルを提供することができる。
【００６３】
図５は、液体侵入防止効果に最適な凹部２ｄの構成を模式的に示した断面図である。図５に示されるように凹部２ｄは、凹部２ｄにおける上面２０２側の壁（以下、上壁とする）を形成する上部分２ｄ１と、凹部２ｄにおける下面２０３側の壁（以下、下壁とする）を形成する下部分２ｄ２とを備えている。
【００６４】
図５に示された構成では、上部分２ｄ１の長さＡ’Ａ（上部分２ｄ１における通液孔２ｃ側の先端部Ａ’から凹部２ｄの奥行方向の壁までの長さ）は、下部分２ｄ２の長さＢ’Ａ（下部分２ｄ２における通液孔２ｃ側の先端部Ｂ’から凹部２ｄの奥行方向の壁までの長さ）よりも大きくなっている。また、上部分２ｄ１の先端部Ａ’には、凹部２ｄの上壁から下面２０３側へ延びる凸部２ｅが形成されている。凹部２ｄは、凸部２ｅを通過する上面２０２の法線が下部分２ｄ２を通過しない構成であるといえる。
【００６５】
図５に示される凹部２ｄの構成によれば、水などの液体が通液孔２ｃにおける凹部２ｄ側の側壁からつたって侵入したとき、液体は、凸部２ｅによって凹部２ｄ内に侵入せず、液滴となる。また、上部分２ｄ１の長さＡ’Ａが下部分２ｄ２の長さＢ’Ａよりも大きくなっているので、凸部２ｅから液滴となった液体は、凹部２ｄを侵入することなく、下面２０３側へ流れ出る。
【００６６】
このように、図５に示された構成によれば、通液孔２ｃにおける凹部２ｄ側の側壁から液体がつたって侵入した場合であっても、凹部２ｄ内のスピーカ２４は水没するおそれがない。
【００６７】
〔実施の形態２〕
本発明の他の実施形態について図６に基づいて説明すれば、以下のとおりである。なお、実施の形態１と同様の部材に関しては、同じ符号を付し、その説明を省略する。
【００６８】
（液侵入防止構造４の構成）
図６は、本実施形態のディスプレイ内蔵型テーブルにおける液侵入防止構造４の構成を示し、図６の（ａ）は上面図であり、図６の（ｂ）は図６の（ａ）のＡ−Ａ’線断面図である。
【００６９】
図６に示されるように、液侵入防止構造４は、凹部２ｅと透湿防水フィルム５とを備えている。凹部２ｅ（第２の凹部）は、天板２ａの上面２０２に対し凹んで形成されている。スピーカ２４は、凹部２ｅ内で、その音出力面が上面２０２側へ向くように配置されている。また、透湿防水フィルム５は、空気、水蒸気等を透過する一方水滴を透過しないフィルムであり、凹部２ｅを閉塞するように設けられている。透湿防水フィルム５の具体的な素材としては、例えばゴアテックス（登録商標）が挙げられる。
【００７０】
図６に示される液侵入防止構造４の構成によれば、天板２ａの上面２０２上に水などの液体をこぼしても、透湿防水フィルム５の効果によって、液体は、凹部２ｅ内に侵入することがない。よって、液侵入防止構造４の構成によれば、スピーカ２４が水没せず、スピーカ２４の故障や発火の原因がなくなるので、スピーカ２４の信頼性が向上したディスプレイ内蔵型テーブルを提供することができる。
【００７１】
〔実施の形態３〕
本発明のさらに他の実施形態について図７に基づいて説明すれば、以下のとおりである。なお、実施の形態１と同様の部材に関しては、同じ符号を付し、その説明を省略する。
【００７２】
（液侵入防止構造４の構成）
図７は、本実施形態のディスプレイ内蔵型テーブルにおける液侵入防止構造４の構成を示す断面図である。
【００７３】
図７に示されるように、液侵入防止構造４は、天板２ａの下面２０３に設けられた凹部２ｆを備えている。この凹部２ｆには、スピーカ２４が収容されている。スピーカ２４は、凹部２ｆ内で、その音出力面が下面２０３側へ向くように配置されている。
【００７４】
図６に示される液侵入防止構造４の構成によれば、天板２ａの上面２０２上に水などの液体をこぼしても、スピーカ２４は、天板２ａの下面２０３に設けられているため、水没するおそれがない。それゆえ、スピーカ２４の故障や発火の原因がなくなるので、スピーカ２４の信頼性が向上したディスプレイ内蔵型テーブルを提供することができる。
【００７５】
（スピーカ２４について）
スピーカ２４は、図４〜６に示されるように、天板２ａに設けられた各表示ユニット３に対応して少なくとも１つ設けられている。また、ピーカ２４は、従来公知のスピーカを採用することができる。
【００７６】
特に好ましくは、スピーカ２４は、指向性スピーカである。ここでいう「指向性スピーカ」とは、パラメトリックスピーカを指す。指向性スピーカでは、２つの超音波の周波数のずれを用いて、超音波の交差する空間に可聴域の音を再生することによって、特定の領域に対して（特定の方向へ）のみ音を再生することが可能になっている。指向性スピーカからの出力音は、２つの超音波の周波数差のうなりとなった可聴域の音であるので、ほぼ一直線に進み周囲への広がりが極めて少ない。また、壁や床等で反射させることができる。
【００７７】
図８は、図７に示す液侵入防止構造４におけるスピーカに、指向性スピーカ２４Ａを適用した構成を模式的に示した側面図である。なお、図８の矢印は、指向性スピーカ２４Ａの出力音が伝搬する方向を示す。
【００７８】
図８に示されるように、指向性スピーカ２４Ａの出力音は、床６で反射して、天板２ａの表示ユニットを視聴しているユーザ側へ向かう。出力音は高い指向性を有するので、ユーザは、この床６から反射してきた出力音を聞き取ることが可能である。
【００７９】
また、各表示ユニットに対応して、少なくとも１つの指向性スピーカ２４Ａを配置した場合、ユーザは、視聴する表示ユニットに対応する音声以外の音が聞こえない。このため、各表示ユニットに対応する音声が異なっていても、複数の表示ユニット間で音声が干渉することがないので、ユーザは、各表示ユニットに対応する音声を聞き取ることができる。
【００８０】
また、本発明のディスプレイ内蔵型テーブルは、指向性スピーカ２４Ａの角度（音出力方向）を調節する角度調節機構を備えていることが好ましい。図９の（ａ）は、指向性スピーカ２４Ａの角度調節機構２４Ｂの構成を模式的に示す断面図であり、図９の（ｂ）は、角度調節機構２４Ｂ単体の構成を示す側面図である。
【００８１】
図９の（ｂ）に示されるように角度調節機構２４Ｂは、支持台２４Ｂ１と、球体２４Ｂ２とを備えている。球体２４Ｂ２は、支持台２４Ｂ１によって、回転可能に支持されている。また、指向性スピーカ２４Ａは、その音出力面が下方（下面２０３側）を向くように、球体２４Ｂ２に設けられている。また、球体２４Ｂ２には、指向性スピーカ２４Ａと表示ユニット３とを接続する配線２４Ｃが設けられている。
【００８２】
角度調節機構２４Ｂの構成によれば、指向性スピーカ２４Ａを具備する球体２４Ｂ２は、支持台２４Ｂ１に回転可能に支持されている。それゆえ、指向性スピーカ２４Ａの向きを上下左右に調節することが可能になる。なお、角度調節機構２４Ｂは、指向性スピーカ２４Ａの向きを上下左右に±４５°程度調節できる構成であることが好ましい。
【００８３】
このように指向性スピーカ２４Ａの向きを自由に調節することができる角度調節機構２４Ｂを設けることによって、表示ユニット３を視聴するユーザの背丈、視聴方法（視聴する姿勢等）に応じて、指向性スピーカ２４Ａの向きを最適に調節することが可能になる。
【００８４】
なお、図８，８では、実施の形態３の液侵入防止構造４において指向性スピーカ２４Ａを適用した構成を示した。しかしながら、指向性スピーカ２４Ａを適用可能な液侵入防止構造は、実施の形態３の構成に限定されない。指向性スピーカ２４Ａは、実施の形態１及び２の液侵入防止構造４にも適用可能である。
【００８５】
また、ディスプレイ内蔵型テーブル１は、指向性スピーカ２４Ａと通常のスピーカ（指向性を有さず出力音が比較的広い範囲で拡散するスピーカ）とを併用した構成であってもよい。このようなディスプレイ内蔵型テーブル１は、指向性スピーカ２４Ａと通常のスピーカとで出力を切り替えるスイッチを備えていることが好ましい。このような構成によれば、ディスプレイ内蔵型テーブル１を使用する各ユーザに対し視聴する表示ユニットに対応する音声を出力するとともに、スイッチの切り替えにより全ユーザに対し同じ音声を出力することができる。それゆえ、ディスプレイ内蔵型テーブルの使用バリエーションを多くすることができる。
【００８６】
〔まとめ〕
本発明の一態様に係るテーブルは、物体を載置可能な上面を有するテーブル本体と、上記上面に設けられた複数の表示部と、を備え、各表示部に対応するスピーカが設けられたテーブルであって、上記スピーカに対し、液体の侵入を防止する液侵入防止構造を備えたことを特徴としている。
【００８７】
上記の構成によれば、各表示部に対応する設けられたスピーカに対し、液体の侵入を防止する液侵入防止構造を備えているので、スピーカが水没せず、スピーカの故障や発火の原因がなくなるので、スピーカの信頼性が向上する。よって、上記の構成によれば、テーブルに水などの液体が零ちてもスピーカへ浸水しない、表示装置を備えたテーブルを提供することができる。
【００８８】
本発明の一態様に係るテーブルにおいて、上記液侵入防止構造は、上記テーブル本体を、上面から下面へ向かって貫通する通液孔と、上記通液孔の側壁に形成され、上記スピーカを収容する第１の凹部（凹部２ｄ）と、を備えていてもよい。
【００８９】
上記の構成によれば、テーブル本体の上面上に水などの液体をこぼしたとき、液体は、通液孔を通って下面側へ流れ出る。ここで、第１の凹部は、通液孔の側壁に対し凹むように形成されているので、液体は、スピーカを収容する第１の凹部を避けて下面側へ流れ出る。それゆえ、上記の構成によれば、スピーカが水没せず、スピーカの故障や発火の原因がなくなるので、スピーカの信頼性が向上する。よって、上記の構成によれば、テーブルに水などの液体が零ちてもスピーカへ浸水しない、表示装置を備えたテーブルを提供することができる。
【００９０】
本発明の一態様に係るテーブルにおいて、上記液侵入防止構造は、上記上面に形成され、上記スピーカを収容する第２の凹部（凹部２ｅ）を備え、上記第２の凹部を閉塞するように、透湿防水フィルムが設けられていてもよい。
【００９１】
上記の構成によれば、テーブル本体の上面上に水などの液体をこぼしても、透湿防水フィルムによって、液体は、第２の凹部内に侵入することがない。よって、上記の構成によれば、スピーカが水没せず、スピーカの故障や発火の原因がなくなるので、スピーカの信頼性が向上する。よって、上記の構成によれば、テーブルに水などの液体が零ちてもスピーカへ浸水しない、表示装置を備えたテーブルを提供することができる。
【００９２】
本発明の一態様に係るテーブルにおいて、上記液侵入防止構造では、上記スピーカは、上記テーブル本体における上記上面と反対側の下面に設けられていてもよい。
【００９３】
上記の構成によれば、テーブル本体の上面上に水などの液体をこぼしても、上記スピーカは、上記テーブル本体における上記上面と反対側の下面に設けられているので、水没するおそれがない。それゆえ、上記の構成によれば、スピーカの故障や発火の原因がなくなるので、スピーカの信頼性が向上する。よって、上記の構成によれば、テーブルに水などの液体が零ちてもスピーカへ浸水しない、表示装置を備えたテーブルを提供することができる。
【００９４】
本発明の一態様に係るテーブルでは、上記スピーカは、指向性スピーカであることが好ましい。
【００９５】
上記の構成によれば、上記スピーカは、指向性スピーカであるので、各表示部を視聴するユーザは、視聴する表示部に対応する音声以外の音が聞こえない。このため、各表示部に対応する音声が異なっていても、複数の表示部間で音声が干渉することがない。よって、上記の構成によれば、ユーザは、各表示部に対応する音声を聞き取ることができる。
【００９６】
本発明の一態様に係るテーブルでは、上記指向性スピーカの角度を調節する角度調節機構を備えたことが好ましい。
【００９７】
上記の構成によれば、上記指向性スピーカの角度を調節する角度調節機構を備えているので、指向性スピーカの向きを適宜調節することができる。それゆえ、上記の構成によれば、表示部を視聴するユーザの背丈、視聴方法（視聴する姿勢等）に応じて、指向性スピーカの向きを最適に調節することが可能になる。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９９】
本発明は、表示装置を備えたテーブルに利用することができる。
【符号の説明】
【０１００】
１      ディスプレイ内蔵型テーブル（テーブル）
２      テーブル
３      表示ユニット（表示部）
４      液侵入防止構造
５      透湿防水フィルム
２ａ    天板
２ｂ    脚部
２ｃ    通液孔
２ｄ    凹部（第１の凹部）
２ｅ    凹部（第２の凹部）
２１    受信部
２２    送信部
２４    スピーカ
２４Ａ  指向性スピーカ
２４Ｂ  角度調節機構
２８    表示ユニット着脱部
３１    送信部
３２    受信部
３５    タッチパネル
３６    テーブル接続部
２０２  上面
２０３  下面
【図１】
2014050547.tif 000003
【図２】
2014050547.tif 000004
【図３】
2014050547.tif 000005
【図４】
2014050547.tif 000006
【図５】
2014050547.tif 000007
【図６】
2014050547.tif 000008
【図７】
2014050547.tif 000009
【図８】
2014050547.tif 000010
【図９】
2014050547.tif 000011